【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
組織サンプルを採取するために生検装置を操作する方法であって、
前記生検装置は、第１の内腔、第２の内腔、ならびに、遠位端および近位端によって画定された横方向組織受容孔を有するカニューレを含み、
前記第１の内腔は、少なくとも１つの開口部を通して前記第２の内腔と流体連通し、
組織受容孔は、前記第１の内腔と流体連通し、
前記生検装置は、前記カニューレに対して並進移動可能なカッターであって、カッター内腔を画定しているカッターをさらに含み、
前記カッターは、前記第１の内腔内に配設されている、
方法において、
前記方法は、
（ａ）前記孔の前記遠位端の遠位側の位置から、前記孔の前記遠位端の近位側の第１の位置に、前記カッターを近位方向に後退させることと、
（ｂ）前記孔を通して組織を吸引するため、近位方向に前記カッターを後退させる前記動作の少なくとも一部の間に、前記カッター内腔を通して真空引きを行うことと、
（ｃ）前記カッターを近位方向に後退させる前記動作の少なくとも一部の間に、前記第２の内腔を通して真空引きを行うことと、
（ｄ）前記孔を通して吸引された組織を切り離すため、切断運動を完了するために、前記孔の前記遠位端の遠位側の位置に、前記カッターを遠位方向に前進させることと、
（ｅ）前記切断運動の完了後に少なくとも一度、前記カッターを往復移動させることであって、
前記往復移動の動作は、前記孔の前記遠位端の近位側の第２の位置に、前記カッターを近位方向に後退させること、および、前記孔の前記遠位端の遠位側の位置に、前記カッターを前進させることを含む、
往復移動させることと、
（ｆ）前記切断運動の完了後に少なくとも一度、前記カッターを往復移動させる前記動作の少なくとも一部の間に、前記第２の内腔に大気を通気させることと、
を含む、方法。
【請求項２】
請求項１に記載の方法において、
前記孔の前記遠位端の近位側の前記第１の位置は、前記孔の前記近位端の遠位側にある、方法。
【請求項３】
請求項１に記載の方法において、
前記孔の前記遠位端の近位側の前記第２の位置は、前記孔の前記遠位端の近位側の前記第１の位置の遠位側にある、方法。
【請求項４】
請求項１に記載の方法において、
前記孔は、前記遠位端と前記近位端との間に長さ方向中点を有し、前記孔の前記遠位端の近位側の前記第２の位置は、前記長さ方向中点の遠位側にある、方法。
【請求項５】
請求項４に記載の方法において、
前記孔の前記遠位端の近位側の前記第１の位置は、前記長さ方向中点の近位側にある、方法。
【請求項６】
請求項１に記載の方法において、
前記第２の内腔は、前記カッターの外部にあり、かつ、前記カッターに平行である、方法。
【請求項７】
請求項１に記載の方法において、
前記第２の内腔を通して生理食塩水の伝達を行うことをさらに含む、方法。
【請求項８】
請求項７に記載の方法において、
前記第２の内腔を通して生理食塩水の伝達を行う前記動作は、前記カッターを遠位方向に前進させる前記動作の少なくとも一部の間に実施される、方法。
【請求項９】
請求項１に記載の方法において、
前記カッターを遠位方向に前進させる前記動作の少なくとも一部の間に前記第２の内腔に大気を通気させることをさらに含む、方法。
【請求項１０】
請求項６に記載の方法において、
前記カニューレは、前記第２の内腔を前記カッターから少なくとも部分的に分離する壁をさらに含み、前記壁は、貫通するよう形成された複数の開口部を有する、方法。
【請求項１１】
請求項１０に記載の方法において、
前記複数の開口部は、前記孔の前記遠位端の近位側の第１の開口部、および、前記第１の開口部の近位側の第２の開口部を含み、前記孔の前記遠位端の近位側の前記第２の位置は、前記第１の開口部と前記第２の開口部との間に、長さ方向に位置付けされる、方法。
【請求項１２】
生検装置内部に収容された組織サンプルを洗浄するために前記生検装置を操作する方法であって、
前記生検装置は、第１の内腔、第２の内腔、ならびに、遠位端および近位端によって画定された横方向組織受容孔を有するカニューレを含み、
前記第１の内腔は、少なくとも１つの開口部を通して前記第２の内腔と流体連通し、
組織受容孔は、前記第１の内腔と流体連通し、
前記生検装置は、前記カニューレに対して並進移動可能なカッターであって、カッター内腔を画定しているカッターをさらに含み、
前記カッターは、前記第１の内腔内に配設されている、
方法において、
前記方法は、
（ａ）少なくとも２回、前記カッターを往復移動させることであって、
前記往復移動の動作は、
（ｉ）最初に、前記孔の前記遠位端の遠位側の位置から、前記孔の前記遠位端の近位側の位置に、前記カッターを近位方向に後退させること、
（ｉｉ）最初に、前記孔の前記遠位端の近位側の前記位置から、前記孔の前記遠位端の遠位側の前記位置に、前記カッターを遠位方向に前進させること、
（ｉｉｉ）二回目に、前記孔の前記遠位端の遠位側の前記位置から、前記孔の前記遠位端の近位側の前記位置に、前記カッターを近位方向に後退させること、および
（ｉｖ）二回目に、前記孔の前記遠位端の近位側の前記位置から、前記孔の前記遠位端の遠位側の前記位置に、前記カッターを遠位方向に前進させること、を含む、
往復移動させることと、
（ｂ）前記カッターを往復移動させる前記動作の少なくとも一部の間に、前記カッター内腔を通して真空引きを行うことと、
（ｃ）最初に前記カッターを近位方向に後退させる前記動作の間、および、最初に前記カッターを遠位方向に前進させる前記動作の間に、前記第２の内腔を通して生理食塩水の伝達を行うことと、
（ｄ）二回目に前記カッターを近位方向に後退させる前記動作の間、および、二回目に前記カッターを遠位方向に前進させる前記動作の間に、前記第２の内腔に大気を通気させることと、
を含む、方法。
【請求項１３】
請求項１２に記載の方法において、
第２の内腔は、前記カッターの外部にあり、かつ、前記カッターに平行である、方法。
【請求項１４】
生検装置の回転可能な組織サンプルホルダーを操作する方法であって、
前記組織サンプルホルダーは、複数の個別組織サンプル室を有し、
前記生検装置は、カッター内腔を画定するカッターを有する、
方法において、
前記方法は、
（ａ）前記カッターで第１の組織サンプルを捕獲することと、
（ｂ）前記組織サンプルホルダーの第１の組織サンプル室に前記第１の組織サンプルを伝達することであって、
前記第１の組織サンプル室は、前記第１の組織サンプル室が第１の回転位置にあるときに前記第１の組織サンプルを受容するように、
伝達することと、
（ｃ）前記第１の組織サンプルをユーザーに提示するために、前記第１の組織サンプル室を第２の回転位置に位置付けるように、前記組織サンプルホルダーを回転させることと、
（ｄ）前記第２の組織サンプル室に第２の組織サンプルを捕捉するために、前記第１の回転位置に前記組織サンプルホルダーの第２の組織サンプル室を位置付けるように、前記組織サンプルホルダーを回転させることであって、
前記第２の組織サンプル室は、前記第１の組織サンプル室に隣接し、
前記第２の組織サンプル室が前記第１の回転位置にあるときに、前記第１の組織サンプル室は、第３の回転位置にあるように、
回転させることと、
を含む、方法。
【請求項１５】
請求項１４に記載の方法において、
第２の回転位置に前記第１の組織サンプル室を位置付けるように、前記組織サンプルホルダーを回転させる前記動作は、前記組織サンプルホルダーを第１の方向に回転させることを含み、
前記組織サンプルホルダーの第２の組織サンプル室を前記第１の回転位置に位置付けるように、前記サンプルホルダーを回転させる前記動作は、前記組織サンプルホルダーを、前記第１の方向とは反対の第２の方向に回転させることを含む、方法。
【請求項１６】
生検装置の回転可能な組織サンプルホルダーを操作する方法であって、
前記組織サンプルホルダーは、複数の個別組織サンプル室を有し、
前記生検装置は、カッター内腔を画定するカッターを有する、
方法において、
前記方法は、
（ａ）第１の組織サンプルを受容するために前記カッター内腔に対して第１の組織サンプル室を割り出す（indexing）ことと、
（ｂ）割り出された前記第１の組織サンプル室に、前記カッター内腔を通して前記第１の組織サンプルを伝達することと、
（ｃ）前記第１の組織サンプルをユーザーに提示するために、最初に前記組織サンプルホルダーを回転させることであって、
最初に前記組織サンプルホルダーを回転させる前記動作は、割り出された位置から提示位置に前記第１の組織サンプル室を回転させるように、
回転させることと、
（ｄ）第２の組織サンプルを受容するために、前記カッター内腔に対して第２の組織サンプル室を割り出すことであって、
前記第２の組織サンプル室を割り出す前記動作は、二回目に前記組織サンプルホルダーを回転させることを含み、
二回目に前記組織サンプルホルダーを回転させる前記動作は、前記第１の組織サンプル室を、前記提示位置から離れるように回転させ、
前記第二の組織サンプル室は、前記第１の組織サンプル室に隣接するように、
割り出すことと、
を含む、方法。
【請求項１７】
請求項１４に記載の方法において、
前記第１の回転位置は、前記第２の回転位置と、前記第３の回転位置との間である、方法。
【請求項１８】
請求項１４に記載の方法において、
（ａ）ユーザー入力を受容することであって、
前記ユーザー入力は、プローブ洗浄サイクルまたは吸引サイクルのうちのいずれかを開始するための命令を含むように、
受容することと、
（ｂ）前記組織サンプルホルダーの前記第２の組織サンプル室を前記第１の回転位置に位置付けるように前記組織サンプルホルダーを回転させる前記動作を実施する前に、前記第１の組織サンプル室を前記第１の回転位置に戻すことであって、
前記第１の組織サンプル室を前記第１の回転位置に戻す前記動作は、受容された前記ユーザー入力に反応して実施されるように、
戻すことと
をさらに含む、方法。
【請求項１９】
請求項１４に記載の方法において、
前記第１の回転位置は、ほぼ１２時の位置に位置する、方法。
【請求項２０】
請求項１９に記載の方法において、
前記第２の回転位置は、ほぼ３時の位置またはほぼ９時の位置のうちのいずれかに位置する、方法。
【請求項２１】
請求項２０に記載の方法において、
前記第２の回転位置として前記３時の位置を使用するかまたは前記９時の位置を使用するかを選択する入力を受容することであって、
前記第２の回転位置は、前記受容された入力にしたがって定められる、
受容すること、
をさらに含む、方法。
【請求項２２】
請求項２１に記載の方法において、
前記生検装置は、左側部および右側部を有するハウジングを含み、
前記左側部および右側部はそれぞれ、前記生検装置の操作に関連する前記ユーザーからの命令を受けるよう作動可能なそれぞれのユーザーインターフェース特徴部を有し、
前記第２の回転位置として前記３時の位置を使用するかまたは前記９時の位置を使用するかを選択する、前記受容された入力は、前記ユーザーインターフェース特徴部のいずれが前記ユーザーから命令を受容するかに基づく、方法。
【請求項２３】
生検装置の回転可能な組織サンプルホルダーを操作する方法であって、
前記組織サンプルホルダーは、複数の個別組織サンプル室を有し、
前記生検装置は、カッター内腔を画定するカッターを有する、
方法において、
前記方法は、
（ａ）第１の組織サンプルを受容するために前記カッター内腔に対して第１の組織サンプル室を割り出すことと、
（ｂ）割り出された前記第１の組織サンプル室に、前記カッター内腔を通して前記第１の組織サンプルを伝達することと、
（ｃ）前記第１の組織サンプルをユーザーに提示するために、最初に前記組織サンプルホルダーを回転させることであって、
最初に前記組織サンプルホルダーを回転させる前記動作は、割り出された位置から提示位置に前記第１の組織サンプル室を回転させるように、
回転させることと、
（ｄ）前記第２の組織サンプルを受容するために、前記割り出された位置に第２の組織サンプル室を位置させるように、二回目に前記組織サンプルホルダーを回転させることであって、
二回目に前記組織サンプルホルダーを回転させる前記動作は、前記第１の組織サンプル室を、前記提供位置から離れるように回転させるように、
回転させることと、
（ｅ）前記第２の組織サンプルを前記ユーザーに提示するために、三回目に前記組織サンプルホルダーを回転させることであって、
三回目に前記組織サンプルホルダーを回転させる前記動作は、前記割り出された位置から前記提示位置に前記第２の組織サンプル室を回転させるように、
回転させることと、
（ｆ）第３の組織サンプルを受容するために、前記割り出された位置に第３の組織サンプル室を位置させるように、四回目に前記組織サンプルホルダーを回転させることであって、
四回目に前記組織サンプルホルダーを回転させる前記動作は、前記第２の組織サンプル室を、前記提示位置から離れるように回転させるように、
回転させることと、
を含む、方法。